(57)【特許請求の範囲】
【請求項１】
脚部と、
前記脚部に支持された第１の台部と、
前記第１の台部の上方に配置された第２の台部と、
前記第２の台部を前記第１の台部に対して回転可能に支持する支持部材とを備え、
前記第２の台部の底面が前記第１の台部の上面に面し前記第１の台部の上面のうち少なくとも一部が前記第２の台部により覆われている閉状態から、前記第２の台部が前記第１の台部に対して回転することで、前記第１の台部の上面のうち少なくとも一部が上方に露出する開状態となり、
前記第２の台部は、互いに隣接するように折り畳み可能な少なくとも２つの部材で構成されている、浴槽台。
【請求項２】
脚部と、
前記脚部に支持された第１の台部と、
前記第１の台部の上方に配置された第２の台部と、
前記第２の台部を前記第１の台部に対して回転可能に支持する支持部材とを備え、
前記第２の台部の底面が前記第１の台部の上面に面し前記第１の台部の上面のうち少なくとも一部が前記第２の台部により覆われている閉状態から、前記第２の台部が前記第１の台部に対して回転することで、前記第１の台部の上面のうち少なくとも一部が上方に露出する開状態となり、
前記第２の台部は、高さ方向に互いに積み重ね可能な少なくとも２つの部材で構成されている、浴槽台。
【請求項３】
前記浴槽台が前記開状態であるとき、前記第１の台部の上面のうち上方に露出した部分が座面になる、請求項１又は２に記載の浴槽台。
【請求項４】
前記浴槽台が前記開状態であるとき、前記第２の台部が背もたれになる、請求項３に記載の浴槽台。
【請求項５】
前記支持部材は、ヒンジ又はリンク機構である、請求項１から４のいずれかに記載の浴槽台。
【請求項６】
前記第１の台部の上面、前記第２の台部の底面、及び前記第２の台部の上面のうち少なくとも１つには、緩衝部材が配置されている、請求項１から５のいずれかに記載の浴槽台。
【発明の詳細な説明】
【技術分野】
【０００１】
この発明は、浴槽台に関し、特に、浴槽内に配置して踏み台として利用できる浴槽台に関する。
【背景技術】
【０００２】
従来、浴槽内に配置して、踏み台として利用できる浴槽台が広く用いられている。
【０００３】
下記特許文献１には、脚部の長さが変更可能である浴槽台が開示されている。この浴槽台では、テレスコピック構造を有する脚部に、長手方向に垂直な方向に固定ピンを貫通させることで、台部の高さを所望の高さに固定できるように構成されている。
【先行技術文献】
【特許文献】
【０００４】
【特許文献１】特開２００８−７９７０７号公報
【発明の概要】
【発明が解決しようとする課題】
【０００５】
ところで、一般的に推奨されている従来の浴槽台の使用方法は、例えば次のようなものである。すなわち、まず、ユーザ（入浴者）が浴槽外から浴槽内に入るとき、浴槽台を浴槽内に配置し固定することで、浴槽台は踏み台として利用される。次に、いったん浴槽内にユーザが入ると、浴槽台は、取り外されて浴槽外に出される。これにより、浴槽内のスペースを広げることができ、ゆったりと入浴可能になる。そして、ユーザが浴槽内から浴槽外に出るときには、これと逆の手順で浴槽台が使用される。浴槽台を用いることで、浴槽内に出入りする際にユーザの足腰にかかる負担を軽減することができる。
【０００６】
しかしながら、このように浴槽内に出入りするたびに浴槽台の着脱や運搬を行うのは、ユーザにとって大変面倒に感じられる場合も多い。特に、浴槽台が浴槽内で滑らないように、吸盤などを利用して浴槽内に固定できる浴槽台などにおいては、いったん浴槽内に取り付けた浴槽台を取り外すのが困難である場合がある。
【０００７】
これに対し、浴槽台を浴槽内に配置したままで入浴する方法などが採られる場合もある。しかしながら、浴槽内に配置したままで浴槽台を用いる場合には、上記とは別の問題が生じる。すなわち、浴槽台が浴槽内で邪魔になり、浴槽内のスペースが狭くなるため、ユーザは、浴槽台を避けるように足を曲げたりする姿勢を強いられる場合がある。また、浴槽台を浴槽内において椅子として用いることもできるが、この場合、浴槽の底面よりも腰の位置が相当に高くなる。そのため、浴槽内の湯の水位を深くする必要があり、湯の消費量が増加する。また、浴槽の深さによっては、ユーザの上半身が浴槽のふちから上方に露出することとなり、肩まで湯につかりたいというようなニーズがユーザにある場合において、そのニーズを満足させることができない。
【０００８】
このような浴槽内における問題だけを考慮すると、台部（天板部分）の高さが低い浴槽台を用いることを解決策として挙げることができる。しかしながら、この場合、浴槽内に出入りする際に踏み台となる、浴槽台の本来の役目が損なわれてしまう。
【０００９】
この発明はそのような問題点を解決するためになされたものであり、ユーザが浴槽内に出入りするときのみならずユーザが浴槽内にいるときでも有効に利用可能な利便性の高い浴槽台を提供することを目的としている。
【課題を解決するための手段】
【００１０】
上記目的を達成するためこの発明のある局面に従うと、浴槽台は、脚部と、脚部に支持された第１の台部と、第１の台部の上方に配置された第２の台部と、第２の台部を第１の台部に対して回転可能に支持する支持部材とを備え、第２の台部の底面が第１の台部の上面に面し第１の台部の上面のうち少なくとも一部が第２の台部により覆われている閉状態から、第２の台部が第１の台部に対して回転することで、第１の台部の上面のうち少なくとも一部が上方に露出する開状態となり、第２の台部は、互いに隣接するように折り畳み可能な少なくとも２つの部材で構成されている。
上記目的を達成するためこの発明の別の局面に従うと、浴槽台は、脚部と、脚部に支持された第１の台部と、第１の台部の上方に配置された第２の台部と、第２の台部を第１の台部に対して回転可能に支持する支持部材とを備え、第２の台部の底面が第１の台部の上面に面し第１の台部の上面のうち少なくとも一部が第２の台部により覆われている閉状態から、第２の台部が第１の台部に対して回転することで、第１の台部の上面のうち少なくとも一部が上方に露出する開状態となり、第２の台部は、高さ方向に互いに積み重ね可能な少なくとも２つの部材で構成されている。
【００１１】
好ましくは浴槽台が開状態であるとき、第１の台部の上面のうち上方に露出した部分が座面になる。
【００１２】
好ましくは浴槽台が開状態であるとき、第２の台部が背もたれになる。
【００１３】
好ましくは支持部材は、ヒンジ又はリンク機構である。
【００１６】
好ましくは第１の台部の上面、第２の台部の底面、及び第２の台部の上面のうち少なくとも１つには、緩衝部材が配置されている。
【発明の効果】
【００１７】
これらの発明に従うと、浴槽台が閉状態から開状態になるとき、第１の台部の上面のうち少なくとも一部が上方に露出する。したがって、ユーザが浴槽内に出入りするときのみならずユーザが浴槽内にいるときでも有効に利用可能な利便性の高い浴槽台を提供することができる。
【図面の簡単な説明】
【００１８】
【図１】本発明の実施の形態の１つにおける浴槽台を示す斜視図である。
【図２】異なる方向から見た浴槽台を示す斜視図である。
【図３】開状態である浴槽台を示す斜視図である。
【図４】開状態である浴槽台を異なる方向から示す斜視図である。
【図５】浴槽台の使用例を説明する第１の斜視図である。
【図６】浴槽台の使用例を説明する第２の斜視図である。
【図７】浴槽台が開状態であるときの使用例を示す側面図である。
【図８】浴槽台が閉状態であるときの使用例を示す側面図である。
【図９】本実施の形態の一変型例に係る浴槽台を示す側面図である。
【図１０】開状態である浴槽台を示す側面図である。
【図１１】１つの部材からなるリンクを有する浴槽台を示す側面図である。
【図１２】開状態である浴槽台を示す側面図である。
【図１３】本実施の形態の上述とは異なる変型例に係る浴槽台を示す側面図である。
【図１４】本実施の形態の上述とは異なる変型例に係る浴槽台を示す斜視図である。
【図１５】浴槽台の回転板の構成を示す斜視図である。
【図１６】開状態である浴槽台を示す斜視図である。
【発明を実施するための形態】
【００１９】
以下、本発明の実施の形態における浴槽台の一例について説明する。
【００２０】
［実施の形態］
【００２１】
図１は、本発明の実施の形態の１つにおける浴槽台１を示す斜視図である。図２は、異なる方向から見た浴槽台１を示す斜視図である。
【００２２】
図１又は図２に示されるように、浴槽台１は、脚部１０と、支持板（第１の台部の一例）３０と、回転板（第２の台部の一例）５０とを有している。本実施の形態において、支持板３０と回転板５０とは、平面視で略同じ形状を有するように構成されている。支持板３０と回転板５０とは、それぞれ、平面視で、各頂点にアール面取り部が設けられた長方形状を有している。浴槽台１の各部は、以下において特記するものを除いては、例えば比重が水の比重すなわち１よりも大きい樹脂により構成されている。
【００２３】
本実施の形態において、浴槽台１は、基本的には、回転板５０と支持板３０とが一体に重なった状態（閉状態ということがある。）で用いられる。図１及び図２には、閉状態である浴槽台１が示されている。浴槽台１が閉状態であるとき、支持板３０の上方には、回転板５０が重なっている。
【００２４】
支持板３０は、板状に形成されている。支持板３０は、その上面が床面に対して略平行になるように、脚部１０により支持されている。支持板３０は、脚部１０に対して固定されている。支持板３０と脚部１０とは、互いに組み付けられて一体となった椅子を構成する。
【００２５】
回転板５０は、板状に形成されている。回転板５０は、支持板３０の上方に配置されている。本実施の形態において、回転板５０の厚みは、支持板３０よりも大きくなるように構成されている。浴槽台１が閉状態であるとき、回転板５０の上面（図１に表れている面）は、床面に対して略平行になる。
【００２６】
回転板５０の前面には、取手部５１が形成されている。取手部５１は、回転板５０の側周面からくぼむ部分が形成されることにより設けられている。なお、取手部５１の構成はこれに限られるものではなく、例えば、取手部材が回転板５０に取り付けられていてもよい。また、回転板５０の側周面から突出する突出部が形成され、それが取手部５１として用いられてもよい。取手部５１は、設けられていなくてもよい。
【００２７】
回転板５０の上面には、パッド５５が設けられている。パッド５５は、例えばゴムシートであり、緩衝機能を発揮する緩衝部材である。パッド５５の上面には、例えば、図示しない凹凸部が、すべり止め加工として設けられている。これにより、ユーザがパッド５５上で滑りにくくなるように構成されている。
【００２８】
パッド５５には、複数の貫通孔５７が設けられている。貫通孔５７は、回転板５０の本体を貫通するように形成されている。各貫通孔５７のパッド５５の表面部分は、ユーザの指が入らないような大きさに形成されている。これにより、浴槽台１の安全性がより高くなっている。
【００２９】
脚部１０は、４つの脚１１を有している。各脚１１は、支持板３０の底面の四隅の近傍部位に固定されている。支持板３０は、床面に接地された４つの脚１１によって支持される。
【００３０】
脚１１は、例えば、円筒形状を有している。脚１１の下端には、吸盤１５が取り付けられている。吸盤１５は、その吸着面が下方（浴槽台１が配置される床面方向）に向くようにして取り付けられている。本実施の形態において、浴槽台１は、吸盤１５が床面に吸着するようにして、浴槽内などの床面に配置されて使用される。これにより、浴槽台１が床面に対して変位することが防止され、浴槽台１をより安全に使用可能になる。吸盤１５は、すべての脚１１に設けられているが、これに限られるものではなく、脚部１０のうちいくつかの、限られた脚１１にのみ設けられていてもよい。
【００３１】
なお、浴槽台１は各吸盤１５と床面との吸着を解除することにより、容易に床面から取り外すことができる。浴槽台１は、例えば容易な操作で、一度に各吸盤１５の一部を持ち上げ、吸盤１５の床面への吸着部に空気を導入できる機構（図示せず）を備えていてもよい。吸盤１５の床面への吸着を容易な操作で解除することができ、浴槽台１の床面からの取り外しをより容易にかつ速やかに行うことができる。
【００３２】
図２に示されるように、回転板５０は、２つのヒンジ（支持部材の一例）７０により、支持板３０に軸支されている。各ヒンジ７０は、回転板５０の背面と支持板３０の背面との間に、回転軸が略水平になるように取り付けられている。換言すると、回転板５０は、支持板３０の後端側で、支持板３０に支持されている。２つのヒンジ７０は、それぞれの回転軸が互いに同軸に並ぶように配置されている。
【００３３】
本実施の形態では、回転板５０は、ヒンジ７０によって、支持板３０に対して回転可能に、支持板３０により支持されている。浴槽台１が図１に示されるような閉状態であるとき、回転板５０の底面は、支持板３０の上面に面している。回転板５０は、このようにその底面が支持板３０の上面に面している状態から、回転板５０の前端部が上方に変位する方向に、ヒンジ７０の回転軸を中心に回転可能である。閉状態から、回転板５０が例えば９０度よりやや大きい角度だけヒンジ７０の回転軸を中心に回転すると、浴槽台１は、支持板３０の上面が上方に露出する開状態となる。換言すると、支持板３０の上面が回転板５０により覆われている閉状態から、回転板５０が支持板３０に対して回転することで、支持板３０の上面が上方に露出する開状態となる。
【００３４】
図３は、開状態である浴槽台１を示す斜視図である。図４は、開状態である浴槽台１を異なる方向から示す斜視図である。
【００３５】
開状態では、浴槽台１は、椅子として用いることができる。すなわち、浴槽台１が開状態であるとき、支持板３０の上面のうち上方に露出した部分が座面になる。また、本実施の形態においては、浴槽台１が開状態であるとき、回転板５０は、背もたれになる。すなわち、図３に示されるように、本実施の形態では、浴槽台１が開状態になると、支持板３０の上面の全面が上方に露出するので、浴槽台１が椅子として用いられるとき、支持板３０の上面の全面を座面とすることができる。また、回転板５０は、その底面（浴槽台１が閉状態であるときに支持板３０の上面に面する部分）が、前方を向く。そのため、浴槽台１が椅子として用いられるとき、支持板３０の上面に腰掛けたユーザは、回転板５０の底面にその背中をもたせかけるようにして、回転板５０を背もたれとして利用できる。
【００３６】
ここで、本実施の形態では、支持板３０の上面及び回転板５０の底面のそれぞれにも、回転板５０の上面に配置されているパッド５５と同様の、パッド（緩衝部材の一例）３５，６５が配置されている。パッド３５，６５は、例えば、ゴムシートである。
【００３７】
図３に示されるように、パッド３５，６５のそれぞれには、複数の貫通孔３７，６７が設けられている。貫通孔３７は、支持板３０を貫通している。貫通孔６７は、回転板５０を貫通している。各貫通孔６７は、例えば、各貫通孔５７に連通している。これらの貫通孔３７，６７のそれぞれも、貫通孔５７と同様に、ユーザの指が入らないような大きさに形成されている。
【００３８】
次に、浴槽台１の使用例について説明する。
【００３９】
図５は、浴槽台１の使用例を説明する第１の斜視図である。
【００４０】
図５に示されるように、浴槽台１は、浴槽１００内に配置して用いられる。浴槽台１は、浴槽１００の底面１１０のうち、浴槽１００の１つの内壁面１２０の近傍部位に配置される。このとき、底面１１０に各脚１１の吸盤１５を吸着させることで、浴槽台１を浴槽１００の内面にしっかりと設置することができる。
【００４１】
浴槽台１が閉状態であるとき、ユーザは、浴槽台１を踏み台として利用することができる。すなわち、ユーザは、入浴時に浴槽１００内に出入りする場合などにおいて、浴槽台１の上面すなわち回転板５０の上面のパッド５５上に乗ることができる。浴槽台１を用いることで、浴槽１００が深いものであっても、足腰などにかかる負担が軽減されるので、ユーザは、楽に、浴槽１００内に出入りすることができる。
【００４２】
このとき、回転板５０の上面にパッド５５が設けられているので、ユーザの脚に伝わるショックが小さくなる。また、パッド５５にはすべり止め加工が施されているので、ユーザが浴槽台１上で滑りにくく、安全に浴槽台１を踏み台として利用できる。
【００４３】
図６は、浴槽台１の使用例を説明する第２の斜視図である。
【００４４】
図６に示されるように、ユーザは、特にユーザが浴槽１００内で入浴する場合において、浴槽台１を開状態とすることにより、浴槽台１を椅子として利用することができる。ユーザは、取手部５１に手を掛けて回転板５０の前端部を上方に持ち上げることにより、回転板５０を支持板３０に対して回転させ、容易に、浴槽台１を開状態にすることができる。
【００４５】
浴槽台１を開状態とすることにより、ユーザは、開状態となることによって露出した支持板３０の上面に腰掛けることができる。このとき、ユーザは、座面となるパッド３５上に腰掛ける。また、このとき、ユーザは、パッド６５にもたれかかり、回転板５０を背もたれとして利用できる。
【００４６】
このとき、支持板３０の上面にパッド３５が設けられており、回転板５０の底面にパッド６５が設けられているので、ユーザの体に作用する力がパッド３５，６５を介して分散され、ユーザは、浴槽台１に快適に腰掛けることができる。また、これらのパッド３５，６５にはすべり止め加工が施されているので、ユーザが浴槽台１上で滑りにくくなり、より安全に浴槽台１を利用できる。
【００４７】
図７は、浴槽台１が開状態であるときの使用例を示す側面図である。
【００４８】
図７及び図７に示されるように、浴槽台１が開状態であるとき、回転板５０は、浴槽１００の内壁面１２０に当接し、それ以上支持板３０に対して回転しないようにして用いることができる。換言すると、回転板５０が内壁面１２０に当接した状態で回転板５０を背もたれとして利用できるように、浴槽台１が配置されている。これにより、浴槽台１を椅子として用いるユーザの上体を、回転板５０により確実に支えることができる。
【００４９】
ここで、本実施の形態においては、浴槽台１の状態を閉状態と開状態とで切り替えることができるため、座面又は踏み台の上面となる面の高さ（以下、浴槽台１の高さということがある。）を変更することができる。
【００５０】
すなわち、開状態においては、支持板３０の上面（パッド３５の上面）が、例えば座面となる（この面は、開状態の浴槽台１を踏み台として用いる場合には、踏み台の上面にもなる。）。図７に示すように、支持板３０の上面の高さすなわち開状態における浴槽台１の高さは、脚１１の高さと支持板３０の厚みとを加算した高さＸ１となる。
【００５１】
図８は、浴槽台１が閉状態であるときの使用例を示す側面図である。
【００５２】
他方、閉状態においては、回転板５０の上面（パッド５５の上面）が、例えば踏み台の上面となる（この面は、閉状態の浴槽台１を椅子として用いる場合には、座面にもなる。）。図８に示すように、このとき、回転板５０の上面の高さすなわち閉状態における浴槽台１の高さは、脚１１の高さと、支持板３０の厚みと、回転板５０の厚みとを加算した高さＸ２となる。高さＸ２は、高さＸ１と比較して、回転板５０の厚みだけ大きくなる。
【００５３】
このように、開状態における浴槽台１の高さは、浴槽台１が閉状態であるときと比較して、回転板５０の厚みだけ低くなる。ユーザは、好みに応じて、適宜、浴槽台１の状態を開状態と閉状態とで切り替えて、浴槽台１を用いることができる。
【００５４】
例えば、上記の通り、浴槽１００が深い場合などにおいて浴槽台１を踏み台として用いるときは、浴槽台１を閉状態にして、浴槽台１の高さを高くすることができる。これにより、ユーザが浴槽１００に出入りする際の踏み台としての効果を十分に得ることができる。
【００５５】
ユーザが浴槽１００内で湯につかる際には、ユーザは、浴槽台１を浴槽１００から取り外すことなく、浴槽台１を閉状態として、浴槽台１を椅子として利用できる。このとき、浴槽台１の高さが低くなるので、浴槽台１を使用しない場合と比較して浴槽内の湯の水位をそれほど増やさなくても、浴槽台を使用しない場合と同様に湯につかることができ、湯の消費量を抑えることができる。浴槽台１に腰掛けたユーザの上半身の位置は浴槽１００内で比較的低く納まるので、肩まで湯に浸かりたいというようなニーズがユーザにある場合においても、そのニーズを満足させることができる。浴槽１００に出入りするたびに面倒な浴槽台１の着脱作業を行う必要がなく、深く湯に浸かるために浴槽台１を避ける窮屈な姿勢をとる必要がないため、ユーザは、浴槽台１を使用して快適に入浴することができる。
【００５６】
［実施の形態における効果］
以上説明したように、浴槽台１の高さは、回転板５０を支持板３０に対して回転させることで容易に変更できるので、浴槽台１の利便性が高くなる。すなわち、浴槽台１は、ユーザが浴槽１００内に出入りするときのみならず、ユーザが浴槽１００内にいるときでも、有効に利用できるものである。
【００５７】
回転板５０には、それを貫通する貫通孔５７，６７が設けられているので、回転板５０の底面側と上面側との間で、水などが貫通孔５７，６７を経由して流れる。これにより、水中などで回転板５０が回転するときに、回転板５０が受ける水などによる抵抗力を軽減することができる。したがって、容易にかつ比較的に軽い力で、回転板５０を支持板３０に対して開閉することができる。
【００５８】
支持板３０には、それを貫通する貫通孔３７が設けられているので、支持板３０の底面側と上面側との間で、水などが貫通孔３７を経由して流れる。したがって、水中などに支持板３０を沈めたり、水中から支持板３０を引き揚げたりするときに、支持板３０が受ける水などによる抵抗力を軽減することができる。したがって、容易にかつ比較的に軽い力で、浴槽台１を取り扱うことができる。
【００５９】
［変型例の説明］
【００６０】
図９は、本実施の形態の一変型例に係る浴槽台２０１を示す側面図である。図１０は、開状態である浴槽台２０１を示す側面図である。
【００６１】
図９に示されるように、浴槽台２０１は、支持板３０に対して回転可能な部材を有するリンク機構２７０によって回転板５０が支持板３０に回転可能に支持されている。リンク機構２７０は、それぞれ回転板５０と支持板３０との２箇所に軸支された第１の腕部２７１と第２の腕部２７２との２つの部材を有している。なお、リンク機構２７０は、浴槽台２０１の両側部に、それぞれ設けられている。
【００６２】
回転板５０の前端部を上方に持ち上げると、第１の腕部２７１と第２の腕部２７２とがそれぞれ支持板３０に対して回転する。これに伴い、回転板５０は、支持板３０に対して回転する。図１０に示されるように、回転板５０が浴槽１００の内壁面１２０に近接するまで回転すると、支持板３０の上面が上方に露出する開状態となる。
【００６３】
図１０に示されるように、本変型例では、浴槽台２０１が開状態であるとき、回転板５０は、支持板３０の上面のうち後端側の部分の上方に位置している。すなわち、浴槽台２０１が開状態となると、支持板３０の上面のうち一部が上方に露出する。したがって、ユーザは、支持板３０の上面のうち露出した部分を座面として、支持板３０に腰掛けることができる。
【００６４】
また、本変型例では、浴槽台２０１が開状態になるとき、回転板５０が支持板３０の後端部からそれほど後方に突出しない。したがって、浴槽台２０１は、浴槽１００の内壁面１２０に近づけて設置することができる。換言すると、浴槽１００の内壁面１２０から浴槽台２０１の前端までの距離（図１０において寸法Ｄ１で示す。）を短くすることができる。これにより、浴槽１００内のスペースをより広く確保できる。
【００６５】
なお、リンク機構２７０を構成する部材の数や部材の位置などは、これに限られるものではない。また、リンク機構２７０は、それ自体が、支持板３０に対する回転板５０の位置を固定するロック機構を有していてもよい。ロック機構を設けることで、例えば、回転板５０を閉状態や開状態のまま保持することができ、浴槽台１の使用時や、浴槽への着脱時などにおいて、意図しない回転板５０の変位を防止することができる。
【００６６】
また、例えば、１つの部材からなるリンク機構によって、回転板５０が支持されていてもよい。
【００６７】
図１１は、１つの部材からなるリンク２７５を有する浴槽台２８１を示す側面図である。図１２は、開状態である浴槽台２８１を示す側面図である。
【００６８】
図１１に示されるように、浴槽台２８１は、支持板３０と回転板５０との２箇所に軸支されたリンク２７５を有している。リンク２７５は、浴槽台２８１の両側部に、それぞれ設けられている。リンク２７５は、支持板３０に対して回転可能である。回転板５０は、リンク２７５に対して回転可能である。したがって、回転板５０は、支持板３０に対して回転可能である。
【００６９】
浴槽台２８１では、回転板５０の後端部が上方に持ち上がるようにして、回転板５０とリンク２７５とのそれぞれを、支持板３０に対して回転させることにより、開状態とすることができる。図１２において、破線は、閉状態から開状態になる途中における回転板５０を示している。図１２に示されるように、開状態である浴槽台２８１では、回転板５０の上面が浴槽台１の前方を向く。すなわち、浴槽台２８１は、パッド５５が浴槽台２８１の前方を向くようにして、利用可能である。この場合、回転板５０の底面は開状態においてもユーザに面しないので、例えばパッド６５を省くことができ、浴槽台２８１の製造コストを低減できる。
【００７０】
図１３は、本実施の形態の上述とは異なる変型例に係る浴槽台３０１を示す側面図である。
【００７１】
回転板は、互いに隣接するように折り畳み可能な少なくとも２つの部材で構成されていてもよい。
【００７２】
例えば、図１３に示されるように、浴槽台３０１は、２つの部材からなる回転板３５０を有するものである。図１３において、破線は、閉状態であるときの浴槽台３０１の回転板３５０の位置を示している。
【００７３】
浴槽台３０１において、回転板３５０は、閉状態において支持板３０の後方部上方に位置する第１の部材３５１と、閉状態において支持板３０の前方部上方に位置する第２の部材３５２とを有している。第１の部材３５１と、第２の部材３５２とは、両部材３５１，３５２の底面側に取り付けられたヒンジ３７２を介して接続されている。第２の部材３５２は、第１の部材３５１に対して回転可能である。また、第１の部材３５１は、その後端部と支持板３０の後端部とに取り付けられたヒンジ３７１を介して、支持板３０に対して回転可能に支持されている。
【００７４】
回転板３５０は、図１３に示されるように、第１の部材３５１を支持板３０に対して回転させながら、第２の部材３５２を第１の部材３５１に対して回転させることで、第１の部材３５１と第２の部材３５２とが互いに隣接するようにして折り畳むことができる。回転板３５０は、第１の部材３５１の底面３６５ａが第２の部材３５２の底面３６５ｂに面するようにして折り畳まれる。このとき、第１の部材３５１の上面３５５ａが浴槽台３０１の後方に向き、第２の部材３５２の上面３５５ｂが浴槽台３０１の前方に向く。
【００７５】
このように浴槽台３０１が開状態になると、折り畳まれた回転板３５０が支持板３０の上面のうち後方に位置し、支持板３０の上面の一部が上方に露出する。ユーザは、浴槽台３０１を開状態にすることで、露出した支持板３０の上面を座面として浴槽台３０１に腰掛けることができる。このとき、第２の部材３５２の上面３５５ｂにもたれかかるようにして、回転板３５０を背もたれとして利用可能である。
【００７６】
なお、回転板を構成する部材の数は、３つより多くてもよい。浴槽台が開状態になるとき、各部材が、例えばびょうぶ状に折り畳まれるようにしてもよい。
【００７７】
図１４は、本実施の形態の上述とは異なる変型例に係る浴槽台４０１を示す斜視図である。
【００７８】
回転板は、高さ方向に互いに積み重ね可能な少なくとも２つの部材で構成されていてもよい。
【００７９】
例えば、図１４に示されるように、浴槽台４０１は、４つの部材を組み合わせて構成された回転板４５０を有するものである。浴槽台４０１のうち、脚部１０と支持板３０とは、上述の浴槽台１のそれと同様に構成されている。
【００８０】
浴槽台４０１において、回転板４５０は、パッド５５が配置された上面部材４５１と、図１４に示されるような閉状態において支持板３０の上面に面する下面部材４５２と、２つのスペーサ４５３とを有している。各部材は、浴槽台４０１の高さ方向（図１４において上下方向）に互いに積み重ね可能である。図１４に示す例では、上から順に、上面部材４５１、スペーサ４５３、スペーサ４５３、及び下面部材４５２の順で互いに積み重ねられている。ヒンジ７０は、支持板３０と下面部材４５２との間に取り付けられている。
【００８１】
図１５は、浴槽台４０１の回転板４５０の構成を示す斜視図である。
【００８２】
上面部材４５１、下面部材４５２、及びスペーサ４５３は、平面視で略同型状を有している。図１５に示されるように、下面部材４５２の上面には、その周縁部を除いて上方に突出するように形成された突起部４５２ａが設けられている。また、各スペーサ４５３の上面にも、突起部４５２ａと同型状の突起部４５３ａが設けられている。上面部材４５１の底面及びスペーサ４５３の底面には、それぞれ、突起部４５２ａ，４５３ａに対応する形状の窪み部（図示せず）が設けられている。各窪み部の大きさと各突起部４５２ａ，４５３ａの大きさとは、窪み部に突起部４５２ａ，４５３ａが若干かたく嵌り合う嵌合状態とすることができるように、定められている。
【００８３】
回転板４５０は、突起部４５２ａを１つ目のスペーサ４５３の窪み部に嵌め込み、１つ目のスペーサ４５３の突起部４５３ａを２つ目のスペーサ４５３の窪み部に嵌め込み、２つ目のスペーサ４５３の突起部４５３ａを上面部材４５１の窪み部に嵌め込むことで、一体になるように構成されている。このように突起部４５２ａ，４５３ａと窪み部とが嵌合して構成されているので、回転板４５０は、各部材が互いにずれず、ばらばらになりにくくなっている。
【００８４】
なお、スペーサ４５３には、その上面から底面に貫通する貫通孔が設けられていてもよい。浴槽台４０１の使用時においてスペーサ４５３の上面や底面は露出しないので、スペーサ４５３に設けられる貫通孔は、貫通孔５７，６７とは異なり、比較的大きいものであってもよい。また、回転板４５０を構成する各部材の一部には、他の部材と組み合わされて回転板４５０を構成したときに各部材間に溜まった水などを抜くことができるように、穴部や溝部などが設けられていてもよい。
【００８５】
図１６は、開状態である浴槽台４０１を示す斜視図である。
【００８６】
上記のように４つの部材が互いにずれないように嵌め込まれて回転板４５０が一体に構成されているので、回転板４５０は、図１６に示されるようにそのまま支持板３０に対して回転させることができる。すなわち、下面部材４５２は、支持板３０に対して、ヒンジ７０を中心に回転可能である。下面部材４５２には、２つのスペーサ４５３及び上面部材４５１が組み付けられているので、これらが一体の回転板４５０として、支持板３０に対して回転する。
【００８７】
図１６に示されるように、閉状態から回転板４５０が支持板３０に対して回転して浴槽台４０１が開状態になったとき、支持板３０の上面を座面として用いることができる。閉状態において踏み台として用いられるときの浴槽台４０１の高さは、回転板４５０に含まれるスペーサ４５３の数を変更することで（例えば、０枚、１枚、２枚、３枚…など）、適宜変更することができる。また、スペーサ４５３は回転板４５０に設けられているので、スペーサ４５３の数を増やして閉状態における浴槽台４０１の高さを高くしても、開状態における浴槽台４０１の高さすなわち座面の高さは変わらない。したがって、ユーザが浴槽に出入りするときなどには踏み台として十分な高さを確保しつつ、ユーザが浴槽内にいるときには浴槽台４０１の高さを低くして浴槽台４０１を有効に利用することができる。
【００８８】
なお、回転板４５０を構成する各部材は、互いに積み重ねられたとき、その上下の部材と係合するように構成されていてもよい。また、金具などを用いて各部材を互いに固定し、各部材がばらばらにならないようにしてもよい。
【００８９】
［その他］
【００９０】
回転板の厚みは、浴槽台の使用目的や設置場所の事情などに応じて、適宜設定することができる。浴槽台を閉状態から開状態にすることで、回転板の厚みだけ浴槽台の高さが変わるので、回転板の厚みに応じて、浴槽台の高さの変化量を適宜設定することができる。
【００９１】
回転板は、上記のように支持板の後端側で支持されているものに限られない。例えば、回転板は、支持板の左右のいずれかの側面に設けられたヒンジを介して、支持板に字句視されていてもよい。このとき、回転板を浴槽台の一側方に向けて回転させることにより、浴槽台を閉状態から開状態にすることができる。
【００９２】
パッドは、支持板の上面、回転板の底面、及び回転板の上面のうち、いずれかに設けられていればよく、他の面には設けられていなくてもよい。また、パッドとしては、ゴムシートに限られず、種々の素材を採用することができる。このとき、緩衝材として機能する素材を用いてパッドを構成することにより、ユーザの脚や腰などに伝わる衝撃を低減したり、ユーザが浴槽台１に腰掛けるときにユーザの体に作用する力がパッドを介して分散されることで座り心地を高めたりすることができる。
【００９３】
また、浴槽台が閉状態である場合において、回転板は支持板の上面を覆うように構成されていなくてもよい。すなわち、閉状態において、支持板の上面のうち少なくとも一部が回転板により覆われており、回転板が支持板に対して回転して開状態となったとき、支持板の上面のうち回転板に覆われていた部分の少なくとも一部が、上方に露出するように構成されていればよい。このような構成により、上述のように、浴槽台の高さが変更可能であるので、浴槽台の利便性を高くすることができる。
【００９４】
脚部の構造は、複数の筒状の部材により支持板を支えるものに限られない。脚部は、例えば、接地面に対して立てられる複数の板状の部材により支持板を支えるものであったり、一つの柱状の部材であったりしてもよい。
【００９５】
支持板や回転板は、上記の実施の形態のような形状のものに限られない。例えば、円形や楕円形、多角形であってもよい。また、板状の部材に限られない。支持板や回転板に代えて、ブロック状に形成された台部を有していてもよい。
【００９６】
開状態になることで露出する台部と脚部とは、一体に構成されていてもよい。このとき、一体に構成された部材が、台部とそれを支持する脚部として機能すればよい。上記の種々の特徴的な点が、適宜組み合わされていてもよい。
【００９７】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００９８】
１，２０１，２８１，３０１，４０１  浴槽台
１０  脚部
１１  脚
３０  支持板（第１の台部の一例）
３５，５５，６５  パッド（緩衝部材の一例）
５０，３５０，４５０  回転板（第２の台部の一例）
７０，３７１  ヒンジ
２７０，２７５  リンク機構
３５１  第１の部材
３５２  第２の部材
４５３  スペーサ
【図１】
0005868033.tif 000002
【図２】
0005868033.tif 000003
【図３】
0005868033.tif 000004
【図４】
0005868033.tif 000005
【図５】
0005868033.tif 000006
【図６】
0005868033.tif 000007
【図７】
0005868033.tif 000008
【図８】
0005868033.tif 000009
【図９】
0005868033.tif 000010
【図１０】
0005868033.tif 000011
【図１１】
0005868033.tif 000012
【図１２】
0005868033.tif 000013
【図１３】
0005868033.tif 000014
【図１４】
0005868033.tif 000015
【図１５】
0005868033.tif 000016
【図１６】
0005868033.tif 000017